(57)【要約】【課題】高速ダウンリンク・パケット・アクセス（ＨＳＤＰＡ）通信システムにおいて、自動再送要求（ＡＲＱ）制御の方法を改善する。【解決手段】この方法は第１の局から第２の局に制御情報を伝送すること（３００）、第２の局において制御情報の受信を開始すること（３１２）、制御情報が、誤りを伴って受信されているかどうかを検査すること（５０２）、および、誤りを伴って受信されている場合、第１の局に伝送するための否定応答（ＮＡＣＫ）メッセージを生成すること（６０４）を含む。制御情報誤り検査および確認応答メッセージ生成は、無線インターフェース・レイヤ１（ＵＥレイヤ１）内部で処理動作を実行することによって第２の局において実行される。【選択図】図６
2007509510.tif 000002
【特許請求の範囲】
【請求項１】
高速ダウンリンク・パケット・アクセス（ＨＳＤＰＡ）通信システムにおける自動再送要求（ＡＲＱ）制御の方法であって、第１の局から第２の局に制御情報を伝送すること、
前記第２の局において前記制御情報の受信を始めること、前記制御情報が、誤りを伴って受信されているかどうかを検査すること、および誤りを伴って受信されている場合、前記第１の局に伝送するための否定応答（ＮＡＣＫ）メッセージを生成し、前記制御情報誤り検査および前記確認応答メッセージ生成は、無線インターフェース・レイヤ１内部で処理動作を実行することによって前記第２の局において実行される方法。
【請求項２】
前記制御情報誤り検査は、前記制御情報に対して巡回冗長検査を実行することによって実行される請求項１に記載の方法。
【請求項３】
前記制御情報誤り検査は、関連するデータ・パケットの受信中に実行される請求項１または２のいずれか一項に記載の方法。
【請求項４】
前記制御情報誤り検査が不合格であると、無線インターフェース・レイヤ１内部で処理動作を実行することにより、前記第２の局における前記関連するデータ・パケットの受信を終了させることを更に含む請求項１乃至３のいずれか一項に記載の方法。
【請求項５】
前記制御情報は、共通制御チャネル上で送受信される請求項４に記載の方法。
【請求項６】
前記第２の局から前記第１の局に、前記共通制御チャネル上で前記否定応答（ＮＡＣＫ）メッセージを伝送することを更に含む請求項１乃至５のいずれか一項に記載の方法。
【請求項７】
高速ダウンリンク・パケット・アクセス（ＨＳＤＰＡ）通信システムの一部を形成する通信局であって、別の局から伝送された制御情報を受信するための受信手段と、前記制御情報が、誤りを伴って受信されているかどうかを検査するための処理手段と、誤りを伴って受信されている場合、前記第１の局に伝送するための否定応答（ＮＡＣＫ）メッセージを生成するための処理手段とを含み、前記制御情報誤り検査および前記確認応答メッセージ生成は、無線インターフェース・レイヤ１内部で処理動作を実行することによって前記第２の局において実行される通信局。
【請求項８】
前記処理手段は、前記制御情報に対して巡回冗長検査を実行することによって前記制御情報誤り検査を実行するように動作する請求項７に記載の通信局。
【請求項９】
処理手段は、関連するデータ・パケットの受信中に前記制御情報誤り検査を実行するように動作する請求項７または８のいずれか一項に記載の通信局。
【請求項１０】
前記処理手段は、前記制御情報誤り検査が不合格であると、無線インターフェース・レイヤ１内部で処理動作を実行することにより、前記第２の局における前記関連するデータ・パケットの受信を終了させるように動作する請求項７乃至９のいずれか一項に記載の通信局。
【請求項１１】
前記処理手段は、共通制御チャネル上で制御情報を送受信するように動作する請求項１０に記載の通信局。
【請求項１２】
前記処理手段は、前記第２の局から前記第１の局に、前記共通制御チャネル上で前記否定応答（ＮＡＣＫ）メッセージを伝送するように動作する請求項７乃至１１のいずれか一項に記載の通信局。
【発明の詳細な説明】
【技術分野】
【０００１】
本発明は、概して通信システム内の局の間で伝送されるデータの誤り制御に関し、より詳細には、高速ダウンリンク・パケット・アクセス（ＨＳＤＰＡ）通信システムにおける自動再送要求（ＡＲＱ）制御に関する。
【背景技術】
【０００２】
ＨＳＤＰＡは、無線符号分割アクセス（Ｗ−ＣＤＭＡ）のための第３世代（３Ｇ）無線通信標準の重要な機能の１つである。Ｗ−ＣＤＭＡはダウンリンク方向におけるマルチメディア・サービスをサポートするために提案された。名前が示すとおり、ＨＳＤＰＡは、３Ｇ局に高速データ配信をもたらし、効果的なマルチメディア能力を要求するユーザが、無線アクセス網における限界のためにこれまで利用できなかったデータ転送速度の恩恵を受けられるようにする。ＨＳＤＰＡは、５ＭＨｚの帯域幅にわたって最高で１４．４Ｍｂｐｓまでという、ダウンリンク方向における非常に速いデータ転送速度を提供することを企図している。ビデオ・ストリーミング、対話型アプリケーション、およびビデオ・オン・デマンドなどの高品質アプリケーションが保証されることが企図されている。この目標に達するため、規格への参加者は、適応変調−符号化（ＡＭＣ）および混成ＡＲＱ（Ｈ−ＡＲＱ）を含め、いくつかの重要な技術を研究してきた。ＨＳＤＰＡは、Ｈ−ＡＲＱおよびＡＭＣを使用してデータスループットを向上させる。
【０００３】
ＨＳＤＰＡ関連チャネルに関する伝送時間間隔は、「サブフレーム」レベルで定義され、ここで、１サブフレームは、３スロット（２ミリ秒）に相当する。これは、無線インターフェース・レイヤ１のチャネル・パラメータおよびチャネル条件が、３スロットごとに変化する可能性があることを意味する。ＡＭＣ技術の使用は、ＨＳＤＰＡ局がＱＰＳＫと１６ＱＡＭの間で局の復調スキームを切り替えること及び物理チャネルの数を変えることができなければならないことを意味する。物理チャネルの数は、関連する制御チャネル上でデータとともに送信されるシグナルに依存する。制御チャネル上で送信されるシグナルは、データ・チャネル上で送信されるデータを受信し、復号化するための必要な情報から成る。
【０００４】
移動受信機（ＵＥ）が現在置かれているチャネル条件下で基地局（ノードＢ）が適切な変調スキームおよび符号化速度を選択するのを支援するため、ＵＥは、特定の制御チャネルを介してノードＢにチャネル品質情報を送信する。さらに、ノードＢが、ＡＲＱ手続きを実行するのを支援するため、ＵＥは、データ・パケットが誤りを伴って受信されたか、または誤りを伴わずに受信されたかを示すメッセージをノードＢに専用制御チャネル上で送り返す。ＵＥは、データ・パケットが、誤りを伴わずにＵＥに伝送されたことを示す肯定応答（ＡＣＫ）メッセージか、またはデータ・パケットが、誤りを伴って伝送されたことを示す否定応答（ＮＡＣＫ）メッセージを送信する。次に、ＡＣＫメッセージまたはＮＡＣＫメッセージは、必要に応じてノードＢがデータ・パケットを再伝送するのに使用される。
【０００５】
ＨＳＤＰＡ活動が開始されると、ノードＢは、共通チャネル上で制御情報を宛先のＵＥに送信することを開始する。以上の諸動作は、無線インターフェース・レイヤ１内部で処理動作を行うことによって実行される。ＵＥは、所与の共通制御チャネルを監視し、そのＵＥを宛先とする制御情報が検出されると、部分的に復号化された制御情報を使用することにより、関連するデータ・チャネル上でパケット・データを受信し始める。同時に、ＵＥは、検出された制御チャネル上で制御情報を取り出すことを続け、誤り検出を、やはり、無線インターフェース・レイヤ１内部で処理動作を実行することによって行う。誤りがまったく検出されなかった場合、ＵＥは、パケット・データを受信し、復号化することを続ける。
【０００６】
パケット・データの受信及び復号化を完了すると、完全なデータ・パケットが、無線インターフェース・レイヤ１から無線インターフェース・レイヤ２に送られる。完全なパケット・データが受け取られると、データ・パケットのＨ−ＡＲＱ処理が、無線インターフェース・レイヤ２内部で諸動作を実行することによって行われる。Ｈ−ＡＲＱ処理の終了時に、ＵＥは、無線インターフェース・レイヤ１処理動作によってノードＢに伝送されるべきＡＣＫメッセージまたはＮＡＣＫメッセージに関する伝送サービスを、提供する。ＵＥは、それらのメッセージのいずれか１つを専用制御チャネル上で送信する。
【発明の開示】
【発明が解決しようとする課題】
【０００７】
しかし、ＵＥが、そのＵＥを宛先とする制御情報を検出することができなかった場合、ＡＣＫメッセージまたはＮＡＣＫメッセージは、まったく生成されない。これにより、ＵＥは、割り当てられた専用制御チャネル上で何も送信しない、より正確には、不連続な伝送（ＤＴＸ）を送信することになる。既存の遠隔通信標準によれば、ノードＢは、ＤＴＸをＮＡＣＫメッセージと解釈することを要求される。同様に、ＵＥが、そのＵＥを宛先とする制御情報を検出したが、誤り検査プロセスが不合格であった場合、ＵＥは、受信されたデータ・パケットを復号化することができない。この場合も、これにより、ＤＴＸが割り当てられた専用制御チャネル上で送信され、ノードＢがＤＴＸをＮＡＣＫメッセージと解釈することを要求されることになる。
【０００８】
伝送された信号が急速なフェージングを被る移動環境において特に、ＨＳＤＰＡシステムのパフォーマンスを低下させる問題が生じることが判明している。ノードＢは、チャネル雑音の存在に起因して、ＤＴＸをＮＡＣＫメッセージではなく、ＡＣＫメッセージと解釈する可能性がある。ＤＴＸをＡＣＫメッセージと解釈すると、ノードＢは、新たなパケット・データを宛先のＵＥに、後の回のスケジューリングで送信する。このパケット・データは、ＵＥ内部のＨ−ＡＲＱバッファの機能を損ない、パフォーマンス低下をもたらした。また、ＤＴＸをＡＣＫメッセージとして認識するというノードＢの劣悪なパフォーマンスに起因して、バッファが役に立たない状況が続くことにより、ＨＳＤＰＡ処理におけるリンク終了も生じ、ＵＥ消費電力が無駄になる。状況は、データ・パケットが順序正しくＵＥに配信されることが必要なサービスの場合、より深刻になる。その場合、前の壊れていたデータ・パケットの後に受信されたデータ・パケットも、そのデータ・パケットの順序が乱れているので、ＵＥによって無視される。
【０００９】
ノードＢにおいてＮＡＣＫメッセージの検出が向上される、ＨＳＤＰＡ通信システムにおけるＡＲＱ制御を改良する技術を提供することが望ましい。
【００１０】
また、既知のＨＳＤＰＡ通信システムに関連する１つまたは複数の問題を改善する、または克服するように、ＨＳＤＰＡ通信システムにおけるＡＲＱ制御を改良することも望ましい。
【課題を解決するための手段】
【００１１】
本発明の一態様は、高速ダウンリンク・パケット・アクセス（ＨＳＤＰＡ）通信システムにおける自動再送要求（ＡＲＱ）制御の方法であって、第１の局から第２の局に制御情報を伝送すること、第２の局において制御情報の受信を開始すること、制御情報が、誤りを伴って受信されたかどうかを検査し、誤りを伴って受信されている場合、第１の局に伝送するための否定応答（ＮＡＣＫ）メッセージを生成することを含み、制御情報誤り検査および確認応答メッセージ生成は、無線インターフェース・レイヤ１内部で処理動作を実行することによって第２の局において実行される方法を提供する。
【００１２】
制御情報誤り検査は、好ましくは、制御情報に対して巡回冗長検査を実行することによって実行される。
【００１３】
制御情報誤り検査は、好ましくは、関連するデータ・パケットの受信中に実行される。
【００１４】
この方法は、制御情報誤り検査に不合格であると、第２の局における関連するデータ・パケットの受信を、無線インターフェース・レイヤ１内部で処理動作を実行することによって終了させることを更に含むことが可能である。
【００１５】
制御情報は、共通制御チャネル上で送受信されることが可能である。
【００１６】
この方法は、第２の局から第１の局に否定応答（ＮＡＣＫ）メッセージを、共通制御チャネル上で伝送することを更に含むことが可能である。
【００１７】
本発明の別の態様は、高速ダウンリンク・パケット・アクセス（ＨＳＤＰＡ）通信システムの一部を形成する通信局であって、別の局から送信された制御情報を受信するための受信手段と、制御情報が、誤りを伴って受信されたかどうかを検査するための処理手段と、誤りを伴って受信された場合、第１の局に伝送するための否定応答（ＮＡＣＫ）メッセージを生成するための処理手段とを含み、制御情報誤り検査および確認応答メッセージ生成は、無線インターフェース・レイヤ１内部で処理動作を実行することによって第２の局において実行される通信局を提供する。
【発明の効果】
【００１８】
本発明によれば、ＨＳＤＰＡ通信システムにおけるＡＲＱ制御が改良され、ＮＡＣＫメッセージの検出が向上される。
【発明を実施するための最良の形態】
【００１９】
次に、図１を参照すると、ほとんどのタイプの通信システムをサポートするように設計された７レイヤのオープン・システム相互接続モデルが、全体的に示されている。レイヤのそれぞれは、正確なプロトコルまたはサービスを指定せず、むしろ、実行される必要がある諸機能に対するモデルを定義する。モデル１００は、物理レイヤ１０２、データ・リンク・レイヤ１０４、ネットワーク・レイヤ１０６、トランスポート・レイヤ１０８、セッション・レイヤ１１０、プレゼンテーション・レイヤ１１２、およびアプリケーション・レイヤ１１４を含む。
【００２０】
物理レイヤ１０２は、より高位のレイヤからのデジタル・データを調整するように作用して、データが、移動無線チャネルを介して信頼できる形で伝送されることが可能であるようにする。送信方向では、物理レイヤ１０２が、チャネル符号化、インタリーブ、スクランブル、拡散、および変調などの諸機能を実行する。受信方向では、以上の機能が逆転されて、送信されたデータが、受信機において復元されるようになる。
【００２１】
データ・リンク・レイヤ１０４は、物理レイヤからのデータをフレームに変換することを担う。また、データ・リンク・レイヤ１０４は、何らかの形態の誤り検出機能も組み込んで、受信されたデータの中に誤りが存在する場合、データ・リンク・レイヤが、誤り制御を担い、その誤りの存在を送信側エンティティに知らせる。データ・リンク・レイヤは、２つのサブレイヤに、すなわち、ＭＡＣ（メディア・アクセス制御）サブレイヤ１１６と論理リンク制御サブレイヤ１１８に分割される。ＭＡＣサブレイヤ１１６は、物理レイヤとより緊密に協働して、ヘッダ、物理アドレス、誤り検出符号、および制御情報を含む。他方、論理リンク制御サブレイヤ１１８は、論理アドレス指定を行うこと、ならびに誤り制御情報およびフロー制御情報を提供することを主に担う。
【００２２】
ネットワーク・レイヤ１１６は、ネットワーク・エンティティ間のネットワーク接続を作成すること、保持すること、および編集することを担う。また、ネットワーク・レイヤは、輻輳制御も実行する。トランスポート・レイヤ１０８は、終端間の誤り制御およびフロー制御を実行する。セッション・レイヤ１１０は、ユーザ間でセッションを確立すること、トークン管理のサービスを扱うこと、およびネットワーク内で同期ポイントを確立することを担う。プレゼンテーション・レイヤ１１２は、送信者または受信者にデータ・パケットを適切な形で提示するために必要な、一連の多種多様な機能を実行する。最後に、アプリケーション・レイヤ１１４は、通信ネットワークを使用するアプリケーションが存在する場所である。
【００２３】
物理レイヤ１０２およびデータ・リンク・レイヤ１０４は、無線インターフェース・レイヤ１および無線インターフェース・レイヤ２にそれぞれ属している。無線インターフェース・レイヤ２は、チャネル整合性、誤り制御、フロー制御、およびリンク順序制御を、レイヤ２の下位のレイヤに、すなわち、無線インターフェース・レイヤ１に提供する。誤り制御のための最も一般的な技術は、受信機が、着信シーケンスの中で誤りを検出することができる誤り検出、ならびに着信シーケンスの中で誤りが検出され、受信機がさらなるシンボルの伝送を送信元に要求するＡＲＱ（自動再送要求）の諸機能に基づく。移動無線環境は、変化するビット誤り率の原因である、固定でないチャネル群を特徴とする。データ転送におけるそれらのビット誤り率の打撃的な効果を抑えるため、ＦＥＣ（前方誤り訂正）符号化スキームが、広く使用されている。ＦＥＣ符号化とＡＲＱの組合せに帰着する諸方法は、Ｈ−ＡＲＱ（混成ＡＲＱ）方法と呼ばれる。Ｈ−ＡＲＱ処理動作は、無線インターフェース・レイヤ２のＭＡＣサブレイヤにおいて実行される。
【００２４】
図２は、２つの通信局、すなわち、ＵＥ２０２およびノードＢ２０４を含むＨＳＤＰＡ通信システム２００を示す。通信局のそれぞれは、図１に示したモデルの中のレイヤ群の各レイヤによって実行されるべき諸動作を実行するための処理セクションを含む。したがって、図２は、物理レイヤ処理ブロック２０６、ＭＡＣサブレイヤ処理ブロック２０８、および上位レイヤ群処理ブロック２１０を示す。同様に、ノードＢ局２０４は、物理レイヤ処理ブロック２１２、ＭＡＣサブレイヤ処理ブロック２１４、および上位レイヤ群処理ブロック２１６を含む。実際のデータが、無線インターフェース２１８を介して、局２０２と局２０４の間で伝送されている間、処理セクションのそれぞれが、ピアツーピア関係にある他方の局において対応する処理セクションと実質的に通信する。
【００２５】
図３に示したタイミング図３００で見て取ることができるとおり、既知のＨＳＤＰＡ通信システム内のノードＢ２０４とＵＥ２０２の両方の内部における高位のレイヤのピアツーピア通信を介してＨＳＤＰＡ動作がアクティブにされると、ノードＢは、ステップ３００で、ＵＥ２０２を宛先とする制御情報３０２を、共通制御チャネル上で送信する。制御情報は、ＵＥ２０２が、ステップ３０６で正確に２スロット（４／３ミリ秒）後にノードＢによって送信されるデータ・パケット３０４を、関連するデータ・チャネル上で受信し、復号化することを可能にする。ＵＥ２０２は、ステップ３０８で、所与の共通制御チャネルを監視して、ＵＥを宛先とする情報を検出する。その制御情報が、ステップ３１０でＵＥによって検出されると、ＵＥは、部分的に復号化された制御情報３０２を使用することにより、ステップ３１２で、関連するデータ・チャネル上でパケット・データ３０４を受信することを開始する。パケット・データ３０４が、ＵＥによって受信されている間、ＵＥは、検出された制御チャネル上で制御情報３０２を取り出すことを続け、ステップ３１４で、誤り検出を実行して、制御情報が、誤りを伴って受信されているかどうかを判定する。この誤り検出は、制御情報３０２に対して巡回冗長検査を実行することによって実行される。まったく誤りが検出されない場合、ステップ３１６で、ＵＥは、パケット３０４を受信し、復号化することを続ける。
【００２６】
ステップ３０８ないし３１６で実行される諸機能のそれぞれは、無線インターフェース・レイヤ１処理セクション２０６内部で諸動作を実行することによって、ＵＥ２０２によって実行される。パケット・データ３０４を受信し、復号化することが完了すると、パケット・データは、ステップ３１８で、ＭＡＣサブレイヤ処理セクション２０８に送られて、無線インターフェース・レイヤ２内部で、さらなる処理動作が実行される。とりわけ、ステップ３２０で、無線インターフェース・レイヤ２処理セクション群が、レイヤ２Ｈ−ＡＲＱ処理動作３２２を実行する。レイヤ２Ｈ−ＡＲＱ処理動作の終了時に、ＭＡＣサブレイヤ処理セクション２０８が、ステップ３２４で、データが、誤りを伴って伝送されているか、誤りを伴わずに伝送されているかをノードＢ２０４に示す肯定応答（ＡＣＫ）メッセージまたは否定応答（ＮＡＣＫ）メッセージのための伝送サービスを提供するよう、無線インターフェース・レイヤ１内部の物理レイヤ処理セクション２０６に要求する。ＡＣＫメッセージまたはＮＡＣＫメッセージの生成は、ＵＥ２０２によるデータ・パケット受信の終了から、およそ７．５スロット（５ミリ秒）後に行われる。
【００２７】
図４に示したタイミング図４００で見て取ることができるとおり、ＵＥ２０２が、ステップ４０２で、ＵＥを宛先とする制御情報３０２を検出することができない場合、ＵＥは、ステップ４０４で、パケット・データ３０４を受信することができない。これにより、ステップ４０６で、フィードバック情報のための伝送サービスを提供する要求が、ＭＡＣサブレイヤ処理セクション２０８から物理レイヤ処理セクション２０６にまったく行われなくなる。ＤＴＸ（不連続な伝送）が、ステップ４０８で、ノードＢ２０４によって検出される。次に、検出されたＤＴＸが、ステップ４１０で、既存の電気通信標準に従ってＮＡＣＫメッセージと解釈される。
【００２８】
図５のタイミング図も同様の場合を示すが、ここではＵＥ２０２が、無線インターフェース・レイヤ１内で、ＵＥを宛先とする制御情報３０２を検出することに成功しても、制御情報３０２に対して実行される巡回冗長検査が、ステップ５０２で不合格になっている。これにより、ＵＥレイヤ１処理セクションが、ステップ５０４で、受信されたデータ・パケット３０４を復号化することができないことになり、ＤＴＸ（不連続な伝送）が、ステップ５０６で、割り当てられた専用制御チャネル上にもたらされる。ＤＴＸ４１２は、ステップ５０８で、ノードＢ２０４（その位置でＡＣＫメッセージまたはＮＡＣＫメッセージを受信することを予期していた）によって検出され、ノードＢ２０４によって、ステップ５１０で、ＮＡＣＫメッセージと解釈される。
【００２９】
ノードＢ２０４が意図せずに、ＤＴＸ４１２をＮＡＣＫメッセージではなく、ＡＣＫメッセージと解釈するのを回避するため、ＵＥ２０２は、検出された制御チャネル上のダウンリンク制御情報上で誤りが検出されると、無線インターフェース・レイヤ１内部でＮＡＣＫメッセージを生成し、そのＮＡＣＫメッセージを、専用制御チャネル上の専用スロットで送信するように動作する。図６に示したタイミング図６００は、本発明によるＵＥ２０２の動作を示す。
【００３０】
ＵＥ２０２が、ＨＳＤＰ動作を可能にされている場合、ＵＥ２０２は、ステップ３０８で、所与の共通制御チャネルの組を監視することを始める。ステップ３１０で、制御チャネル群のいずれか１つのチャネル上で、そのＵＥを宛先とする制御情報３０２の検出に成功すると、ＵＥ２０２は、ステップ３１２で、関連するデータ・チャネル上でデータを受信することを開始する。ＵＥ２０２は、妥当な制御チャネル上で受信される、検出された制御情報３０２を受信し、復号化することを続ける。ステップ５０２で、制御情報３０２の巡回冗長検査が、いずれの時点であれ、不合格になると、ステップ５０４で、ＵＥ無線インターフェース・レイヤ１処理セクションは、受信されたデータを復号化することができない。
【００３１】
その場合、ＵＥ２０２は、ステップ６０２で、無線インターフェース・レイヤ１処理動作を実行することにより、関連するデータ・チャネル上でデータ・パケット３０４の受信を終了させる。次に、無線インターフェース・レイヤ１処理セクションは、ステップ６０６で、後の時点におけるＡＣＫメッセージまたはＮＡＣＫメッセージの伝送のために割り当てられている、関連する制御チャネル上で送信されるべき、ＮＡＣＫメッセージ６０４を開始する。現行では、このフィードバック情報メッセージの伝送のために定義されている時間は、制御情報メッセージ３０２の終りから、およそ９．５スロットである。しかし、本発明の他の諸実施形態では、このフィードバック情報メッセージの伝送のためのスケジュールされた時間は様々であってよく、またはスケジューリングにおけるシステム柔軟性を拡張するように構成可能であることが許される。
【００３２】
この拡張は、ＭＡＣサブレイヤＡＣＫメッセージ／ＮＡＣＫメッセージ生成機能を無線インターフェース・レイヤ１処理動作に再割り当てすることを可能にする。これは、処理をスピードアップし、ＨＳＤＰＡパケット・データ上に誤りが存在する場合に、無線インターフェース・レイヤ１と無線インターフェース・レイヤ２の間における不必要なトラフィックを減らす効果を有する。本発明は、実行に依存しており、既存の電気通信標準の準拠にまったく影響を及ぼさないことが理解されよう。
【００３３】
本発明は、既存の無線インターフェース・レイヤ２のＡＣＫメッセージ／ＮＡＣＫメッセージ生成機能に実質的に重なるが、無線インターフェース・レイヤ２が、ステップ５０６で、無線インターフェース・レイヤ１がノードＢ２０４に送信すべきものを何も生成せず、検出された制御チャネル上の制御情報に対する巡回冗長検査が不合格であった場合、無線インターフェース・レイヤ１は、ノードＢ２０４に伝送するために、ＮＡＣＫメッセージ６０４が生成されるようにする。ノードＢ２０４は、ステップ６０８で、ＵＥ２０２から受信されるフィードバック情報を監視し、ステップ６１０で、ＮＡＣＫメッセージ６０５が検出されたと判定する。
【００３４】
最後に、本発明の趣旨および範囲を逸脱することなく、ＡＣＫ／ＮＡＣＫメッセージに関して前述したＨＳＤＰＡフィードバック・スキームに、様々な変更および／または追加を行うことができることを理解されたい。
【図面の簡単な説明】
【００３５】
【図１】通信システムにおいて諸機能を実行するための、いくつかの互いに関係するレイヤのアーキテクチャモデルである。
【図２】本発明による通信システムの一部を形成する移動局（ＵＥ）および基地局（ノードＢ）の概略図である。
【図３】従来技術の通信システムにおけるＨＳＤＰＡ活動中に実行される情報フローおよび処理動作を示すタイミング図である。
【図４】ＵＥが、そのＵＥを宛先とする制御情報を検出することができなかった場合の、従来技術の通信システムの動作を示すタイミング図である。
【図５】従来技術の通信システムのＵＥが、そのＵＥを宛先とする制御情報を検出したが、その制御情報が、誤り検査手続きに不合格であったケースを示すタイミング図である。
【図６】本発明による図２に示した通信システムによって実行されるデータフローおよび処理動作を示すタイミング図である。
【図１】
2007509510.tif 000003
【図２】
2007509510.tif 000004
【図３】
2007509510.tif 000005
【図４】
2007509510.tif 000006
【図５】
2007509510.tif 000007
【図６】
2007509510.tif 000008
【国際調査報告】
2007509510.tif 000009
2007509510.tif 000010
2007509510.tif 000011